(57)【要約】【課題】たとえ収納部内にアクセサリーコンセント設置盤が設置されているとしても、当該収納部の内外において常に使い勝手でアクセサリー電気製品を乗員が使用できるようにする。【解決手段】コンソールボックス１の収納装置３における収納部４を構成する後部側壁部４ｂに収納部４の内外を貫通する取付け孔８を設け、取付け孔８内に、シガレットライター等のアクセサリー電気製品を電源に接続するためのアクセサリーコンセント１０を配備したアクセサリーコンセント設置盤９を配設し、アクセサリーコンセント設置盤９におけるアクセサリーコンセント１０を表出設置したアクセサリーコンセント配置面９ａが収納部４の内外部に選択的に表出するように、アクセサリーコンセント設置盤９を後部側壁部４ｂに装着した。【選択図】図３
2010155525.tif 000002
【特許請求の範囲】
【請求項１】
車両に備える収納装置であって、該収納装置における収納部を構成する壁部を貫通する取付け孔を設け、該取付け孔内に、アクセサリーコンセントを配備したアクセサリーコンセント設置盤を配設し、該アクセサリーコンセント設置盤における前記アクセサリーコンセントを表出設置したアクセサリーコンセント配置面が、前記収納部の内外部に選択的に表出可能であることを特徴とする車両の収納装置。
【請求項２】
前記アクセサリーコンセント配置盤は、前記取付け孔内において揺動可能に装着されていることを特徴とする請求項１に記載の車両の収納装置。
【請求項３】
前記車両におけるシート間に設置されるコンソールボックスであることを特徴とする請求項１または請求項２に記載の車両の収納装置。
【発明の詳細な説明】
【技術分野】
【０００１】
本発明は、車両の収納装置、特に、収納部内に電源接続装置を備えた収納装置に関する。
【背景技術】
【０００２】
一般に、自動車等の車両に設置される収納装置における収納部内には、シガレットライター、携帯電話用ジャック、ＡＢＳ端子或いはＡＵＸジャック等のアクセサリー電気製品の端子を電源に接続するためのアクセサリーコンセントを複数個設置している。
【０００３】
これら複数のアクセサリーコンセントは、アクセサリーコンセント設置盤に取付けることによってユニット化して構成しており、かかるアクセサリーコンセント設置盤は、前記アクセサリーコンセントが表出設置されたコンセント配設面を前記収納部の内部側に表出させた状態で、収納部の底壁部等に固定的に設置するようにしている（特許文献１参照）。
【特許文献１】特開２００８−１０５４７３号公報
【発明の開示】
【発明が解決しようとする課題】
【０００４】
かかる従来技術におけるこの種のアクセサリー電気製品への電源接続装置は、アクセサリーコンセント設置盤を収納装置の収納部内に固定的に設置して、収納部内のみにおいてコンセント配設面を表出可能に構成しているために、アクセサリー電気製品側の端子部（シガレットライターのソケット、ＡＢＳ端子或いはＡＵＸ端子等）を収納部内部においてアクセサリーコンセント設置盤側のコンセントに接続することになり、もし、アクセサリー電気製品を収納部の外部で使用したい場合には、端子部とアクセサリー電気製品間を電気的に接続する電源接続コードを収納部より外部に取り出す必要がある。
【０００５】
しかしながら、収納部は、通常その開口を蓋体にて閉塞するように構成されていることから、前記電源接続コードを外部に取り出した際に、前記蓋体が邪魔となり、しかも、収納部の側壁と蓋体との間に存してしまい、蓋体が浮き上がってしまうことになる。
【０００６】
また、収納部の開口部を閉塞する蓋体をヒンジを介して収納部の開口辺部に回動可能に設置した場合、該蓋体の開方向側に位置する乗員が収納部内に設置されたアクセサリーコンセント設置盤のアクセサリーコンセントを使用したくとも、蓋体が邪魔となって使用が妨げられていた。
【０００７】
そこで、本発明は、たとえ収納部内にアクセサリーコンセント設置盤が設置されているとしても、当該収納部の内外において常に使い勝手でアクセサリー電気製品を乗員が使用できるようにした電源接続装置を備えた車両の収納装置を提供することを目的としている。
【課題を解決するための手段】
【０００８】
本発明に係る請求項１に記載の車両の収納装置は、車両に備える収納装置であって、該収納装置における収納部を構成する壁部を貫通する取付け孔を設け、該取付け孔内に、アクセサリーコンセントを配備したアクセサリーコンセント設置盤を配設し、該アクセサリーコンセント設置盤における前記アクセサリーコンセントを表出設置したアクセサリーコンセント配置面が、前記収納部の内外部に選択的に表出可能であることを特徴とする。
【０００９】
かかる構成により、アクセサリーコンセント設置盤に設置したアクセサリーコンセントは、アクセサリーコンセント配置面を収納部の内外部に選択的に表出可能に配設したことにより、アクセサリーコンセント配置面が収納部内側だけでなく、収納部の外側へ表出した状態でアクセサリー電気製品の端子部が接続可能となり、アクセサリー電気製品の使い勝手を非常に向上させることができる。
【００１０】
また、本発明に係る請求項２に記載の車両の収納装置における前記アクセサリーコンセント配置盤は、前記取付け孔内において揺動可能に装着されていることを特徴とする。
【００１１】
かかる構成により、前記アクセサリーコンセント配置面を揺動可能に前記収納部の内外部で選択的に使用することができる。
【００１２】
また、本発明に係る請求項３に記載の車両の収納装置は、前記車両におけるシート間に設置されるコンソールボックスであることを特徴とする。
【００１３】
かかる構成により、コンソールボックスの蓋体の開方向側に位置する乗員が、蓋体に邪魔されずにアクセサリーコンセント設置盤を使用することができる。
【発明の効果】
【００１４】
上記のように構成する本発明によれば、アクセサリーコンセント配置面を収納部の内外部に選択的に表出可能に配設したことにより、アクセサリー電気製品の使い勝手を非常に向上させることができる。
【発明を実施するための最良の形態】
【００１５】
次に、本発明に係る実施の形態について、図を用いて説明する。
【００１６】
図１は本発明に係る第１の実施の形態を採用した収納装置としてのコンソールボックスを車室後方斜め側から描画した斜視図、図２は同じく携帯電話収納部を開口した状態におけるコンソールボックスを車室前方斜め側から描画した斜視図、図３は同じくコンソールボックスの収納部開口を閉塞するための蓋体を開きアクセサリーコンセント設置盤を収納部内において表出させた状態における車室前方斜め側から描画した斜視図、図４は同じくコンソールボックスの収納部の後部側壁部からアクセサリーコンセント設置盤を表出させた状態における車室後方斜め側から描画した斜視図、図５は図１のＡ−Ａ断面図、図６は図４のＢ−Ｂ断面図である。
【００１７】
図示するコンソールボックス１は、自動車における運転席と助手席（不図示）の間に配設設置され所謂センターコンソールボックスである。
【００１８】
かかるコンソールボックス１は、前部側が不図示の変速機操作用レバー等を設ける機能操作部２に構成されるとともに、後部側が一段と高く形成されていて、収納装置３を構成している。
【００１９】
収納装置３は、上部に開口部４ａを有するボックス状の収納部４、及び開口部４ａを開閉する蓋体５を有して構成している。
【００２０】
蓋体５は、図３に示すように、収納部４の４つの壁部４ｂ、４ｃ、４ｄおよび４ｅのうち、自動車における後席側に面する後部側壁部４ｂの上端部に設置したヒンジ６を介して、開口部４ａを開閉できるように構成している。
【００２１】
したがって、蓋体５は、自動車の前後方向に回動するようになっており、開操作時には後席側に移動していることになる。
【００２２】
更に、蓋体５の前端部には、アクセサリー電気製品例えば図５及び図６に示す携帯電話７を収容するための小スペース収容部５ａが形成されている。
【００２３】
小スペース収容部５ａは、その上部側に携帯電話７を出し入れする小開口部５ｂを設けており、小開口部５ｂはスライド蓋５ｃにより開閉されるように構成されている。したがって、スライド蓋５ｃは、小開口部５ｂの自動車左右方向側側壁および蓋体５の後方側左右側壁に延設されたガイドレール（不図示）によって、自動車の前後方向にスライド動可能になっている。そして、又、スライド蓋５ｃをガイドレール内においてスライドさせるために、スライド蓋５ｃの前端外側面には、取っ手５ｄが設けられている。更に、蓋体５の後端部は、互いに離間する二重壁構造に構成されていて、スライド蓋体収納部５ｅに形成されている。
【００２４】
収納部４の後部側壁部４ｂには、収納部４の内外を貫通する取付け孔８が形成されており、取付け孔８内には、アクセサリーコンセント設置盤９が配備されている。
【００２５】
アクセサリーコンセント設置盤９は、取付け孔８の互いの対向する両縦壁部８ａに橋渡すように設置した回転軸（不図示）により、取付け孔８内において収納部４の内外両部に移動可能に構成されている。
【００２６】
アクセサリーコンセント設置盤９は、コンセント配置面９ａを有しており、コンセント配置面９ａには、それぞれ不図示のバッテリー等の電源に電気的に接続されている複数のアクセサリーコンセント１０が設置されている。
【００２７】
アクセサリーコンセント１０は、例えば、アクセサリー電気製品としてのシガレットライター用のライターソケット１１を接続するライター用コンセント１０ａ、オーディを装置用のＡＵＸ端子に接続するＡＵＸ端子用コンセント１０ｂ或いはコンピュータの端末機等のＵＳＢ端子に接続するためのＵＳＢ端子用コンセント１０ｃ等により構成している。
【００２８】
ライター用コンセント１０ａは、ライターソケット１１を取り外した状態で例えば携帯電話７（図５及び図６参照）の充電コード１３ａに接続した携帯電話用ジャック１３ｂを投入しておくことにより、携帯電話７を充電することができる（図５に示す状態）。
【００２９】
更に、アクセサリーコンセント設置盤９における前部側には、車両前方側に凸形状となった弧状に形成された摺動壁部９ｂが形成されており、摺動壁部９ｂが収納部４の後部側内壁部４ｆに弧状に形成されたガイド面４ｇを摺動させることによって、アクセサリーコンセント設置盤９は、取付け孔８内において円滑に回動するようになっている。
【００３０】
そして、アクセサリーコンセント設置盤９は、コンセント配置面９ａが図５に示す収納部４の内部側に面する位置と図６に示す収納部４の外部側（本実施の形態においては後席に対向する側）に面する位置で停止できるように、収納部４には一対のストッパー手段１２が設けられている。
【００３１】
ストッパー手段１２は、不図示のキャッチャー等を備えていて、アクセサリーコンセント設置盤９の前記各位置において固定保持できるように構成されている。
【００３２】
上記のように構成する本発明の実施の形態においては、先ず図３及び図５に示すように、コンセント配置面９ａを収納部４の内部側に表出するようにアクセサリーコンセント設置盤９を操作した場合には、特に運転席や助手席である前席に着座した乗員が、各コンセント１０ａ乃至１０ｃに電源接続コード１３を介して（図７参照）、それぞれ接続したアクセサリー電気製品を使用する際に、使い勝手が向上することになる。
【００３３】
そして、コンセント配置面９ａは、収納部４の内部側に表出している状態において、収納部４の開口部付近に近接するように配設することにより、アクセサリー電気製品の使い勝手を更に向上させることができ、また、収納部４内に収容されている収容物によって邪魔されることなく、アクセサリー電気製品のコンセント接続動作を簡単に行うことができる。
【００３４】
又、図４及び図６に示すように、コンセント配置面９ａを収納部４の外部側（本実施の形態では、後席に対向する位置）に表出するようにアクセサリーコンセント設置盤９を操作した場合には、特に後席に着座した乗員が、各コンセント１０ａ乃至１０ｃに電源接続コード１３を介して、それぞれ接続したアクセサリー電気製品を使用する際に、使い勝手が向上することになる。
【００３５】
又、ライター用コンセント１０ａから不図示のライターソケットを外して、携帯電話７の充電コード１３ａを接続した場合、電源から携帯電話７への充電を行うことができる。
【００３６】
この場合、携帯電話７は、小スペース収容部５ａ内に収容しておくと便利であり、更に、この際、充電コード１３ａの余長部分を蓋体５の裏面に設けたフック５ｆに引っ掛けておけば、充電コード１３ａが収納部４内において垂れ下がり等を防止できる。
【００３７】
そして、本実施の形態においては、収納部４の後部側壁部４ｂにアクセサリーコンセント設置盤９を設置するようにしたことから、従来のように、収納部４の底壁部に設置した場合に比べて、収納部４の収納有効スペースを大きく確保することができ、例えば、図６に示すように、コンパクトディスク１４等を大量にしかも整理整頓した状態で収容することができることになる。
【００３８】
上記のように構成する本発明に係る第１の実施の形態においては、アクセサリーコンセント設置盤９に設置したアクセサリーコンセント１０ａ乃至１０ｃは、コンセント配置面９ａを収納部内外において選択的に表出させることによって、アクセサリー電気製品の端子部を収納部の内側ばかりでなく外側から表出させた状態で接続させることができ、アクセサリー電気製品の使い勝手を非常に向上させることができ、蓋体５に邪魔されず、自動車の前席側の乗員は勿論、後席側の乗員にも便利さを提供でき、後席乗員側のために別個のアクセサリーコンセント設置盤を設置する必要ないことになる。
【００３９】
尚且つ、本発明によれば、アクセサリーコンセント設置盤９が、収納部４を構成する後部側壁部４ｂに設けた取付け孔８内に配設することによって設置されていることから、収納部４自体の有効収納スペースを拡大することができる。
【００４０】
次に、本発明に係る第２の実施の形態について、図７を用いて説明する。
【００４１】
図７に示す第２の実施の形態においては、アクセサリーコンセント設置盤９のコンセント配置面９ａは、収納部４内に位置している際に、複数の貫通孔４ｈ−１によりライター用コンセント１０ａ、ＡＵＸ端子用コンセント１０ｂ、或いはＵＢＳ端子用コンセント１０ｃを表出させる以外は、収納部４の後部側壁部４ｂに形成した覆い部４ｈによってカバーされるように構成おり、その他の構成は上記第１の実施の形態と同一構成を有している。
【００４２】
したがって、各貫通孔４ｈ−１を通して、ライター用コンセント１０ａ、ＡＵＸ端子用コンセント１０ｂ、ＵＢＳ端子用コンセント１０ｃは、それぞれライターソケット１１、ＡＵＸ端子１１ａ、不図示のＵＳＢ端子が接続されることになる。
【００４３】
上記のように構成する本発明に係る第２の実施の形態においては、前記第１の実施の形態と同様に、アクセサリーコンセント設置盤９に設置したアクセサリーコンセント１０ａ乃至１０ｃは、コンセント配置面９ａを収納部内外において選択的に表出させることによって、アクセサリー電気製品の端子部を収納部の内側ばかりでなく外側から表出させた状態で接続させることができ、アクセサリー電気製品の使い勝手を非常に向上させることができ、蓋体５に邪魔されず、自動車の前席側の乗員は勿論、後席側の乗員にも便利さを提供でき、後席乗員側のために別個のアクセサリーコンセント設置盤を設置する必要なく、尚且つ、アクセサリーコンセント設置盤９が、収納部４を構成する後部側壁部４ｂに設けた取付け孔８内に配設することによって設置されていることから、収納部４自体の有効収納スペースを拡大することができる。
【００４４】
更に、第２の実施の形態においては、収納部４の後部側壁部４ｂに形成した覆い部４ｈが、コンセント配置面９ａが、収納部４の内部側に位置する際に覆い部４ｈによってカバーすることになって、ライター用コンセント１０ａ、ＡＵＸ端子用コンセント１０ｂ、或いはＡＢＳ端子用コンセント１０ｃなどが収納部４内に収納した小物等の当接により損傷しないようになっている。
【００４５】
また、第２の実施の形態においては、ライターソケット１１、ＡＵＸ端子１１ａ或いは不図示のＵＳＢ端子は、覆い部４ｈに設けた各貫通孔４ｈ−１を貫通した状態で、ライター用コンセント１０ａ、ＡＵＸ端子用コンセント１０ｂ或いはＵＢＳ端子用コンセント１０ｃに接続されていることになって、乗員がアクセサリーコンセント設置盤９を回動させようとしても、例えばライター用コンセント１０ａがアクセサリー設置盤９の回転阻止作用を果たすことになって、不用意にアクセサリーコンセント設置盤９は回動させることができない。
【００４６】
次に、本発明に係る第３の実施の形態について、図８を用いて説明する。
【００４７】
図８に示す第３の実施の形態においては、アクセサリーコンセント設置盤９は、取付け孔８内において自動車の前後方向にスライド可能に設置した点、上記第１の実施の形態に対して異なる構成を有している。
【００４８】
したがって、アクセサリーコンセント設置盤９は、収納部４の内部側において使用する場合には、取付け孔８から収納部４の内部に飛び出させることになり、この際、取付け孔８による収納部の後部側壁部４ｂの開口を閉塞している。
【００４９】
そして、アクセサリーコンセント設置盤９は、収納部４の外部側に表出させて使用する場合には、取付け孔８内において自動車の後方側にスライドさせて（二点鎖線示参照）、収納部４より自動車後方側に突出させて使用することになる。
【００５０】
上記実施の形態においていずれも、アクセサリーコンセント配置盤９は、収納部４の後部側壁部４ｂに設置するように構成したが、これに限定されるものでなく、例えば、蓋体５が助手席側へ回動して開閉するならば、アクセサリーコンセント配置盤９を助手席側壁部へ設置すれば良く、また、収納部４を複数個の分割収納部にて構成し、各分割収納部をそれぞれ区画する内部壁部ともいうべき側壁部を設置した場合、これら分割収納部のうち、車体最後部側の分割収納部の上部側が常時開口しているように構成して、当該最後部側の分割収納部とこれに隣接する車体前部側の分割収納部とを区画する内部壁部を、アクセサリーコンセント配置盤９を設置するための側壁部とし、当該側壁部に取付け孔８を設けて、アクセサリーコンセント配置盤９を設置するようにしてもよい。
【００５１】
また、上記実施の形態においては、コンソールボックスに適用した場合を例示して説明したが、本発明は、これに限定されるものではなく、例えば、収納部を備えたアームレストやグローブボックス等にも適用可能である。
【００５２】
そこで、次に、本発明に係る第４の実施の形態としてグローブボックスに適用した場合について、図９及び図１０を用いて説明する。
【００５３】
図９及び図１０に示す第４の実施の形態においては、本発明に係るアクセサリーコンセント設置盤３９を、インストルメントパネル２０に配設する収納装置３としてのグローブボックス３０に設置した場合である。
【００５４】
即ち、アクセサリーコンセント設置盤３９は、グローブボックス３０の収納部３４の一部を構成する蓋体３５に形成した取付け孔３８内に、不図示の回転軸により収納部３４の内外両部に移動可能に、配備されている。
【００５５】
したがって、アクセサリーコンセント設置盤３９は、蓋体３５に対して車室側に突出させることにより、コンセント配置面３９ａが収納部３４の外部側に表出することになり（図９の状態）、また、蓋体３５に対して収納部３４内に突出させることにより、コンセント配置面３９ａを収納部３４の内部側に表出させ、この時、取付け孔３８を閉塞した状態となって、例えば、ライター用コンセント１０ａを利用して、不図示の携帯電話を充電させることができ、この際、携帯電話は収納部３４内に収容することができる。
【産業上の利用可能性】
【００５６】
以上説明したように、本発明は、アクセサリーコンセント配置面を収納部の内外部に選択的に表出可能に配設したことにより、アクセサリー電気製品の使い勝手を非常に向上させることができるために、車両の収納装置、特に、収納部内に電源接続装置を備えた収納装置等として好適である。
【図面の簡単な説明】
【００５７】
【図１】本発明に係る第１の実施の形態を採用した収納装置としてのコンソールボックスを車室後方斜め側から描画した斜視図である。
【図２】同じく小スペース収納部を開口した状態におけるコンソールボックスを車室前方斜め側から描画した斜視図である。
【図３】同じくコンソールボックスの収納部開口を閉塞するための蓋体を開きアクセサリーコンセント設置盤を収納部内において表出させた状態における車室前方斜め側から描画した斜視図である。
【図４】同じくコンソールボックスの収納部の後部側壁部からアクセサリーコンセント設置盤を表出させた状態における車室後方斜め側から描画した斜視図である。
【図５】図５は図１のＡ−Ａ断面図である。
【図６】図６は図４のＢ−Ｂ断面図である。
【図７】本発明に係る第２の実施の形態を採用した収納装置としてのコンソールボックスにおけるアクセサリーコンセント設置盤を収納部の内部側より使用する状態を描画した要部斜視図である。
【図８】本発明に係る第３の実施の形態を採用した収納装置としてのコンソールボックスを蓋体を取り外した状態に追いて描画した斜視図である。
【図９】本発明に係る第４の実施の形態を採用した収納装置として、インストルメントパネルに設置したグローブボックスにおいて、蓋体の閉時状態におけるコンセント配置面を表出させた状態を描画した斜視図である。
【図１０】同じく、グローブボックスの蓋体の開示状態におけるコンセント配置面を収納部内部に表出させた状態を描画した斜視図である。
【符号の説明】
【００５８】
１    コンソールボックス
３    収納装置
４    収納部
４ｂ  後部側壁部（壁部）
８    取付け孔
９    アクセサリーコンセント設置盤
９ａ  コンセント配置面
１０    アクセサリーコンセント
【図１】
2010155525.tif 000003
【図２】
2010155525.tif 000004
【図３】
2010155525.tif 000005
【図４】
2010155525.tif 000006
【図５】
2010155525.tif 000007
【図６】
2010155525.tif 000008
【図７】
2010155525.tif 000009
【図８】
2010155525.tif 000010
【図９】
2010155525.tif 000011
【図１０】
2010155525.tif 000012